(57)【要約】【課題】表示面が重力方向と反対の方向に向けて配置される表示装置において、セキュリティを向上させる。【解決手段】光源８３−１乃至８３−４は、それぞれ、画素単位かつ色単位の光源からなる。ある光源８３に対して他の光源８３は、それぞれ異なる方向に配置される。遮光板５２は、光源８３から出射された光のうちの、その光源８３に対応する位置のユーザが視認可能な方向以外に進む光を遮断する。光源８３から出射された光は、遮光板５２を介して、重力方向と反対の方向に向けて配置される表示面に照射される。本発明は、例えば、テーブルトップコンピュータに適用することができる。【選択図】図６
2012018255.tif 000002
【特許請求の範囲】
【請求項１】
画素ごとに設けられ、少なくとも１つの色の光を出射する３以上の光源と、
前記光源から出射された前記光のうちの、所定の方向以外に進む光を遮断する遮光板と、
前記光源から前記遮光板を介して前記光が照射される表示面と
を備え、
前記表示面は、重力方向と反対の方向に向けて配置され、
前記３以上の光源は、その光源のうちの１つの光源に対して異なる２以上の方向に配置され、
前記遮光板により遮断されない光の進む方向は、前記光源ごとに異なる
表示装置。
【請求項２】
前記遮光板は、前記画素単位かつ前記色単位の孔を有し、前記光源から出射された前記光を、前記孔を通すことにより、前記所定の方向以外に進む光を遮断する
請求項１に記載の表示装置。
【請求項３】
前記遮光板は、前記画素単位かつ前記色単位のレンズを有し、前記光源から出射された前記光を、前記レンズを通すことにより、前記所定の方向以外に進む光を遮断する
請求項１に記載の表示装置。
【請求項４】
前記３以上の光源は、独立に駆動される
請求項１に記載の表示装置。
【請求項５】
前記光源は、赤色、緑色、および青色の光を出射する
請求項１に記載の表示装置。
【請求項６】
画素ごとに設けられ、少なくとも１つの色の光を出射する３以上の光源と、
前記光源から出射された前記光のうちの、所定の方向以外に進む光を遮断する遮光板と、
前記光源から前記遮光板を介して前記光が照射される表示面と、
３以上の種類の画像データに基づいて、種類ごとに、前記３以上の光源のそれぞれを駆動する駆動手段と
を備え、
前記表示面は、重力方向と反対の方向に向けて配置され、
前記３以上の光源は、その光源のうちの１つの光源に対して異なる２以上の方向に配置され、
前記遮光板により遮断されない光の進む方向は、前記光源ごとに異なる
情報処理装置。
【請求項７】
前記遮光板は、前記画素単位かつ前記色単位の孔を有し、前記光源から出射された前記光を、前記孔を通すことにより、前記所定の方向以外に進む光を遮断する
請求項６に記載の情報処理装置。
【請求項８】
前記遮光板は、前記画素単位かつ前記色単位のレンズを有し、前記光源から出射された前記光を、前記レンズを通すことにより、前記所定の方向以外に進む光を遮断する
請求項６に記載の情報処理装置。
【請求項９】
前記光源は、赤色、緑色、および青色の光を出射する
請求項６に記載の情報処理装置。
【請求項１０】
画素ごとに設けられた３以上の光源が、少なくとも１つの色の光を出射する出射ステップと、
遮光板が、前記光源から出射された前記光のうちの、所定の方向以外に進む光を遮断する遮断ステップと、
駆動手段が、３以上の種類の画像データに基づいて、種類ごとに、前記３以上の光源のそれぞれを駆動する駆動ステップと
を含み、
前記光源から前記遮光板を介して出射される前記光は、前記光源ごとに異なる方向に進み、重力方向と反対の方向に向けて配置された表示面に照射され、
前記３以上の光源は、その光源のうちの１つの光源に対して異なる２以上の方向に配置される
情報処理方法。
【請求項１１】
基板にレジストを塗布する塗布ステップと、
画素単位かつ色単位の領域に対応する孔が設けられたフォトマスクを前記レジストが塗布された前記基板に設置する設置ステップと、
露光を行う露光ステップと、
カーボンを蒸着する蒸着ステップと、
レジスト剥離液を用いて前記レジストを剥離する剥離ステップと
を含む製造方法。
【発明の詳細な説明】
【技術分野】
【０００１】
本発明は、表示装置、情報処理装置および情報処理方法、並びに製造方法に関し、特に、表示面が重力方向と反対の方向に向けて配置される表示装置において、セキュリティを向上させることができるようにした表示装置、情報処理装置および情報処理方法、並びに製造方法に関する。
【背景技術】
【０００２】
近年、表示面が重力方向と反対の方向に向けて配置される表示装置を備えるコンピュータ（以下、テーブルトップコンピュータという）が存在する。テーブルトップコンピュータでは、複数のユーザが同時に利用することができるため、入出力データの秘匿性を高め、セキュリティを向上させることが重要である。
【０００３】
入力データの秘匿性は、２次元バーコードなどを利用することにより高めることができる。しかしながら、テーブルトップコンピュータでは、複数のユーザが同時に視認可能なように表示装置が構成されているため、出力データの秘匿性を高めることは困難である。
【０００４】
出力データの秘匿性を高める表示装置としては、表示面に対する１方向の角度によって、異なる画像を表示する表示装置が考案されている（例えば、特許文献１参照）。
【０００５】
このような表示装置では、例えば、図１に示すように、各画素において、表示面に対して平行な１方向であるｘ方向に同一の色の３つの光源１１乃至１３が配置され、その光源１１乃至１３の上にスリット２１Ａが設けられた遮光板２１が配置される。この場合、光源１１から出射された光Ａ、光源１２から出射された光Ｂ、および光源１３から出射された光Ｃは、それぞれ、ｙ方向の位置が同一で、ｘ方向の位置が異なる位置に進む。従って、光源１１乃至１３を別々に制御することにより、x方向の位置が異なる位置に存在するユーザに異なる画像を視認させることができる。
【０００６】
なお、図２に示すように、遮光板２１の代わりに、レンチキュラスクリーン３１を配置することもできる。
【先行技術文献】
【特許文献】
【０００７】
【特許文献１】特表２００７−５０７００１号公報
【発明の概要】
【発明が解決しようとする課題】
【０００８】
しかしながら、テーブルトップコンピュータでは、表示面が重力方向と反対の方向に向けて配置されるため、ユーザは、表示面を取り囲む任意の位置から視認することができる。従って、テーブルトップコンピュータにおいて、図１や図２で説明した表示装置が備えられる場合であっても、出力データの秘匿性を十分に高めることは困難である。
【０００９】
具体的には、例えば、図３に示すように、図１や図２で説明した表示装置が備えられたテーブルトップコンピュータ４０は、表示面４１に対してｘ方向に並ぶユーザ４２とユーザ４３に、異なる画像を視認させることはできる。しかしながら、ｙ方向に並ぶユーザ４２とユーザ４４に、異なる画像を視認させることはできない。従って、テーブルトップコンピュータ４０において、出力データの秘匿性を十分に高め、セキュリティを向上させることはできていない。
【００１０】
本発明は、このような状況に鑑みてなされたものであり、表示面が重力方向と反対の方向に向けて配置される表示装置において、セキュリティを向上させることができるようにするものである。
【課題を解決するための手段】
【００１１】
本発明の第１の側面の表示装置は、画素ごとに設けられ、少なくとも１つの色の光を出射する３以上の光源と、前記光源から出射された前記光のうちの、所定の方向以外に進む光を遮断する遮光板と、前記光源から前記遮光板を介して前記光が照射される表示面とを備え、前記表示面は、重力方向と反対の方向に向けて配置され、前記３以上の光源は、その光源のうちの１つの光源に対して異なる２以上の方向に配置され、前記遮光板により遮断されない光の進む方向は、前記光源ごとに異なる表示装置である。
【００１２】
本発明の第１の側面においては、画素ごとに設けられ、少なくとも１つの色の光を出射する３以上の光源と、前記光源から出射された前記光のうちの、所定の方向以外に進む光を遮断する遮光板と、前記光源から前記遮光板を介して前記光が照射される表示面とが備えられ、前記表示面は、重力方向と反対の方向に向けて配置され、前記３以上の光源は、その光源のうちの１つの光源に対して異なる２以上の方向に配置され、前記遮光板により遮断されない光の進む方向は、前記光源ごとに異なる。
【００１３】
本発明の第２の側面の情報処理装置は、画素ごとに設けられ、少なくとも１つの色の光を出射する３以上の光源と、前記光源から出射された前記光のうちの、所定の方向以外に進む光を遮断する遮光板と、前記光源から前記遮光板を介して前記光が照射される表示面と、３以上の種類の画像データに基づいて、種類ごとに、前記３以上の光源のそれぞれを駆動する駆動手段を備え、前記表示面は、重力方向と反対の方向に向けて配置され、前記３以上の光源は、その光源のうちの１つの光源に対して異なる２以上の方向に配置され、前記遮光板により遮断されない光の進む方向は、前記光源ごとに異なる情報処理装置である。
【００１４】
本発明の第２の側面の情報処理方法は、本発明の第２の側面の情報処理装置に対応する。
【００１５】
本発明の第２の側面においては、画素ごとに設けられた３以上の光源が、少なくとも１つの色の光を出射し、遮光板が、前記光源から出射された前記光のうちの、所定の方向以外に進む光を遮断し、駆動手段が、３以上の種類の画像データに基づいて、種類ごとに、前記３以上の光源のそれぞれを駆動する。なお、前記光源から前記遮光板を介して出射される前記光は、前記光源ごとに異なる方向に進み、重力方向と反対の方向に向けて配置された表示面に照射され、前記３以上の光源は、その光源のうちの１つの光源に対して異なる２以上の方向に配置される。  
【００１６】
本発明の第３の側面の製造方法は、基板にレジストを塗布する塗布ステップと、画素単位かつ色単位の領域に対応する孔が設けられたフォトマスクを前記レジストが塗布された前記基板に設置する設置ステップと、露光を行う露光ステップと、カーボンを蒸着する蒸着ステップと、レジスト剥離液を用いて前記レジストを剥離する剥離ステップと
を含む製造方法である。
【００１７】
本発明の第３の側面においては、基板にレジストが塗布され、画素単位かつ色単位の領域に対応する孔が設けられたフォトマスクが、前記レジストが塗布された前記基板に設置され、露光が行われ、カーボンが蒸着され、レジスト剥離液を用いて前記レジストが剥離される。
【発明の効果】
【００１８】
本発明の第１および第２の側面によれば、表示面が重力方向と反対の方向に向けて配置される表示装置において、セキュリティを向上させることができる。
【００１９】
また、本発明の第３の側面によれば、表示面が重力方向と反対の方向に向けて配置される表示装置であって、セキュリティが向上した表示装置を製造することができる。
【図面の簡単な説明】
【００２０】
【図１】従来の表示装置の構成例を示す斜視図である。
【図２】従来の表示装置の他の構成例を示す斜視図である。
【図３】従来の表示装置において視認可能な画像を説明する図である。
【図４】本発明を適用したテーブルトップコンピュータの一実施の形態の外観図である。
【図５】図４のテーブルトップコンピュータの詳細構成例を示す図である。
【図６】光源と遮光板の構成例を示す斜視図である。
【図７】ｘ方向に並ぶ光源の距離の例を説明する側断面図である。
【図８】ｘ方向に並ぶ光源の距離の例を説明する側断面図である。
【図９】遮光板の他の例を示す図である。
【図１０】遮光板のさらに他の例を示す図である。
【図１１】本発明の効果を説明する図である。
【図１２】表示処理を説明するフローチャートである。
【図１３】遮光板の製造方法の概要を説明する図である。
【図１４】遮光板の製造方法の概要を説明する図である。
【図１５】遮光板の製造工程を説明するフローチャートである。
【図１６】光源の他の配置例を示す図である。
【発明を実施するための形態】
【００２１】
＜一実施の形態＞
［テーブルトップコンピュータの一実施の形態の構成例］
図４は、本発明を適用したテーブルトップコンピュータの一実施の形態の構成例を示す図である。
【００２２】
図４に示すように、テーブルトップコンピュータ５０は、四角形状の台５１Ａを備えるタッチセンサー付きテーブル５１、遮光板５２、LCD（Liquid Crystal Display）パネル５３、および制御装置５４により構成される。なお、本実施の形態では、設置面に対して垂直な方向をｚ方向とし、台５１Ａの垂直な２辺の各方向を、それぞれ、ｘ方向およびｙ方向とする。
【００２３】
タッチセンサー付きテーブル５１の台５１Ａの略中央には、四角形状の表示パネル５１Ｂが、重力方向と反対の方向に向けて配置される。表示パネル５１Ｂは、例えば、光拡散機能を有するアクリル製の表示面と、タッチセンサーにより構成される。タッチセンサーの方式としては、抵抗膜式、静電容量式、光導波式、表面弾性波式、音響波照合式などを用いることができる。ユーザは、表示パネル５１Ｂに表示された画像を視認したり、その画像に対してタッチ操作を行ったりする。
【００２４】
遮光板５２は、LCDパネル５３から放出されるＲ（赤色）、Ｇ（緑色）、Ｂ（青色）の光のうちの、所定の位置のユーザの視認可能な方向以外に進む光を遮断する。
【００２５】
LCDパネル５３は、制御装置５４から供給される各ユーザ用の画像データと、そのユーザの位置とに基づいて、そのユーザが視認可能な方向に進むＲＧＢの光を、遮光板５２を介して表示パネル５１Ｂに照射する。これにより、各ユーザ用の画像が、そのユーザ以外の人に視認されることを防止することができる。
【００２６】
なお、本実施の形態では、ユーザは、四角形状の台５１Ａの各辺の位置でテーブルトップコンピュータ５０を利用することができるものとする。即ち、最大４人のユーザがテーブルトップコンピュータ５０を利用することができるものとする。
【００２７】
制御装置５４は、所定のプログラムを実行することにより、各種の処理を実行する。具体的には、制御装置５４は、表示パネル５１Ｂのタッチセンサーによる検出結果を取得し、その検出結果に基づいてユーザのタッチ操作を検出する。また、制御装置５４は、検出されたタッチ操作等に応じて、各ユーザ用の画像データを生成する。さらに、制御装置５４は、例えば、ユーザの入力に応じて、ユーザの位置を認識する。制御装置５４は、各ユーザ用の画像データと、そのユーザの位置を、LCDパネル５３に供給する。
【００２８】
［テーブルトップコンピュータの詳細構成例］
図５は、図４のテーブルトップコンピュータ５０の詳細構成例を示す図である。なお、図５では、テーブルトップコンピュータ５０の構成のうち、本発明に関わる部分についてのみ示している。
【００２９】
図５に示すように、テーブルトップコンピュータ５０の制御装置５４は、信号処理部８１および表示制御部８２−１乃至８２−４などにより構成される。
【００３０】
信号処理部８１は、各ユーザ用の画像データを生成する。また、信号処理部８１は、各ユーザの入力に応じて、そのユーザの位置を認識する。信号処理部８１は、ユーザの位置に基づいて、その位置に対応するユーザ用の画像データを、その位置に対応する表示制御部８２−１乃至８２−４のいずれかに供給する。
【００３１】
表示制御部８２−１乃至８２−４（駆動手段）は、それぞれ、ユーザの位置としての台５１Ａの各辺に対応する。表示制御部８２−１乃至８２−４は、それぞれ、信号処理部８１から供給される画像データに基づいて、LCDパネル５３の光源８３−１乃至８３−４を独立に駆動する。
【００３２】
LCDパネル５３は、光源８３−１乃至８３−４等により構成される。光源８３−１乃至８３−４は、それぞれ、ユーザの位置としての台５１Ａの各辺に対応する。光源８３−１乃至８３−４は、それぞれ、画素ごとのＲＧＢの光源からなる。光源８３−１乃至８３−４は、それぞれ、表示制御部８２−１乃至８２−４の制御にしたがって、各ユーザ用の画像データに対応する画素単位のＲＧＢの光を、遮光板５２を介して各ユーザ用の画像を表示パネル５１Ｂ（図４）に表示する。
【００３３】
なお、以下では、表示制御部８２−１乃至８２−４を特に区別する必要がない場合、それらをまとめて表示制御部８２という。同様に、光源８３−１乃至８３−４を、光源８３という。
【００３４】
遮光板５２は、光源８３から出射されたＲＧＢの光のうちの、その光源８３に対応する位置のユーザの視認可能な方向以外に進む光を遮断する。これにより、光源８３から出射され、遮光板５２を通ったＲＧＢの光は、その光源８３に対応する位置のユーザの視認可能な方向にのみ進む。
【００３５】
［光源と遮光板の構成例］
図６は、光源８３と遮光板５２の構成例を示す斜視図である。
【００３６】
なお、図６では、説明の便宜上、表示される画像の画素が、３×３画素である場合について図示されている。
【００３７】
光源８３は、画素単位かつ色単位の光源から構成される。なお、図６では、説明を簡単にするため、光源８３のうちの１色分の光源のみを示している。また、光源８３−１および光源８３−３は、ｘ方向に並ぶように配置され、光源８３−２および光源８３−４は、ｙ方向に並ぶように配置される。即ち、ある光源８３に対して、他の光源８３がそれぞれ異なる方向に配置される。
【００３８】
また、遮光板５２は、カーボン板８４−１、ガラス基板８４−２、および隔壁板８４−３により構成される。カーボン板８４−１は、ガラス基板８４−２の上側（表示パネル５１Ｂ側）に設置され、画素単位かつ色単位で孔８４Ａを備える。これにより、カーボン板８４−１は、孔８４Ａを通過する光以外の光を遮断する。なお、光源８３と遮光板５２は、光源８３から出射され、孔８４Ａを通過する光が、その光源８３に対応する位置のユーザが視認可能な方向の光となるように配置される。
【００３９】
隔壁板８４−３は、ガラス基板８４−２の下側（LCDパネル５３側）に設置され、画素単位かつ色単位の孔を隔壁８４Ｂとして備える。これにより、隔壁板８４−３は、異なる画素や異なる色の光どうしの干渉を防止する。
【００４０】
光源８３から出射された光は、隔壁８４Ｂ、ガラス基板８４−２、および孔８４Ａを順に介して、表示パネル５１Ｂ（図４）を透過し、出射する。これにより、光源８３から出射された光のうちの、その光源８３に対応する位置のユーザの視認可能な方向に進む光のみが、画素単位かつ色単位で表示パネル５１Ｂを透過して出射する。
【００４１】
具体的には、光源８３−１から出射された光Ａは、その光源８３−１に対応する位置のユーザの視認可能な方向に進む。また、光源８３−２から出射された光Ｂは、その光源８３−２に対応する位置のユーザの視認可能な方向に進む。光源８３−３から出射された光Ｃは、その光源８３−３に対応する、光源８３−１に対応する位置とｙ方向に対向する位置のユーザの視認可能な方向に進む。また、光源８３−４から出射された光Ｄは、その光源８３−４に対応する、光源８３−２に対応する位置とｘ方向に対向する位置のユーザの視認可能な方向に進む。
【００４２】
その結果、台５１Ａの辺のｙ方向に対向する位置に存在する２人のユーザのうちの一方は、光源８３−１からの光Ａを視認し、他方は、光源８３−３からの光Ｃを視認することができる。また、ｘ方向に対向する位置に存在する２人のユーザのうちの一方は、光源８３−２からの光Ｂを視認し、他方は、光源８３−４からの光Ｄを視認することができる。
【００４３】
以上のように、テーブルトップコンピュータ５０では、光源８３がｘ方向およびｙ方向に並べられるので、ｘ方向の異なる位置に存在する複数のユーザそれぞれに、異なる画像を視認させるとともに、ｙ方向の異なる位置に存在する複数のユーザそれぞれに、異なる画像を視認させることができる。
【００４４】
図７および図８は、ｘ方向に並ぶ光源８３−２と光源８３−４の距離の例を説明する側断面図である。
【００４５】
図７および図８の例では、光源８３からの光を視認可能な角度が、表示パネル５１Ｂの法線に対して−θからφ（φ＞θ）までの範囲であるものとする。なお、角度は、光源から法線に向かう角度を正の角度とする。
【００４６】
この場合、例えば、図７および図８に示すように、角度θおよび角度φ、並びに、光源８３−２と光源８３−４の距離の1/2の距離ｄ、ｘ方向の光源８３の長さｌ、孔８４Ａのｘ方向の長さの1/2の長さａ、光源８３とカーボン板８４−１の距離ｓの関係が、以下の式（１）を満たすようにされる。
【００４７】
【数１】
2012018255.tif 000003
【００４８】
角度θおよび角度φ、並びに、距離ｄ、長さｌ、長さａ、および距離ｓの関係が式（１）を満たす場合、図７に示すように、距離ｄが長さａ以下である場合、表示パネル５１Ｂの法線に対する角度が角度−θから角度θまでの範囲では、全光源８３からの光を視認することができる。しかしながら、表示パネル51Bの法線に対する角度が角度θから角度φまでの範囲では、その範囲に対応する光源８３からの光のみを視認することができる。
【００４９】
一方、図８に示すように、距離ｄが長さａより大きい場合、表示パネル５１Ｂの法線に対する角度が角度−θから角度φまでの範囲において、その範囲に対応する光源８３からの光のみを視認することができる。
【００５０】
なお、角度θおよび角度φ、並びに、距離ｄ、長さｌ、長さａ、および距離ｓの関係は、表示画像の解像度等に基づくようにしてもよい。
【００５１】
また、図７および図８では、ｘ方向に並ぶ光源８３−２と光源８３−４の距離について説明したが、ｙ方向に並ぶ光源８３−１と光源８３−３の距離についても同様である。
【００５２】
［遮光板の他の例］
図９および図１０は、遮光板の他の例を示す図である。
【００５３】
上述したように、図６の遮光板５２には、四角形状の孔８４Ａおよび隔壁８４Ｂが設けられたが、図９に示すように、遮光板５２には、円状の孔９１Ａおよび隔壁９１Ｂが設けられるようにしてもよい。この場合、例えば、長さｌ=40μm、距離d=17.5μm、長さa=50μm、距離s＝20μmとすることができる。
【００５４】
なお、長さlが十分小さい場合、光源８３から出射される光は球面波となるので、図９に示すように円状の孔９１Ａが設けられる方が、図６に示すように四角形状の孔８４Ａが設けられる場合に比べて、回折が発生しにくい。
【００５５】
また、図１０に示すように、遮光板５２には、孔９１Ａの代わりに、円状のレンズ１０１が設けられるようにしてもよい。この場合、例えば、長さｌ=40μm、距離d=17.5μm、長さa=37.5μm、距離s＝50μmとすることができる。
【００５６】
［本発明の効果］
図１１は、本発明の効果を説明する図である。
【００５７】
図１１に示すように、テーブルトップコンピュータ５０では、台５１Ａの各辺の位置において、その位置のユーザ用の画像のみを視認させることができる。具体的には、例えば、ｙ方向の辺の位置に存在するユーザ１２１およびユーザ１２２だけでなく、ｘ方向の辺の位置に存在するユーザ１２３にも、異なる画像を視認させることができる。また、ユーザ１２１乃至１２３は、互いに、他のユーザ用の画像を視認することができない。従って、セキュリティが向上する。その結果、テーブルトップコンピュータ５０において、個人情報を表示したり、金融決済を行ったりすることが可能になる。
【００５８】
［テーブルトップコンピュータの処理の説明］
図１２は、図５のテーブルトップコンピュータ５０による表示処理を説明するフローチャートである。
【００５９】
ステップＳ１１において、信号処理部８１は、ユーザの入力に応じて、そのユーザの位置を認識し、ユーザ用の画像データを生成する。
【００６０】
ステップＳ１２において、信号処理部８１は、ユーザの位置に基づいて、ユーザ用の画像データを供給する供給先を、表示制御部８２−１乃至８２−４から選択し、その供給先に画像データを供給する。
【００６１】
ステップＳ１３において、表示制御部８２は、信号処理部８１から供給される画像データに基づいて光源８３を駆動する。
【００６２】
ステップＳ１４において、光源８３は、表示制御部８２からの制御にしたがって、ＲＧＢの光を、遮光板５２を介して表示パネル５１Ｂに対して放出する。これにより、ＲＧＢの光は、光源８３に対応する位置のユーザが視認可能な方向に照射される。
【００６３】
［遮光板の製造方法の説明］
図１３および図１４は、遮光板５２の製造方法の概要を説明する図である。
【００６４】
図１３に示すように、まず、ガラス基板８４−２にレジスト１５１が塗布される（図中Ａ）。次に、孔８４Ａ（９１Ａ）やレンズ１０１に対応する領域以外の領域に孔１５２Ａが設けられたフォトマスク１５２が、レジスト１５１上に設置される（図中Ｂ）。そして、フォトマスク１５２の上から光が照射される（図中Ｃ）。即ち、露光が行われる。その結果、レジスト１５１上の、露光が行われた領域、即ち孔１５２Ａに対応する領域１５１Ａが、取り除かれる（図中Ｄ）。
【００６５】
次に、カーボン１５３が蒸着される（図中Ｅ）。そして、レジスト剥離液を用いて、レジスト１５１が剥離され、孔８４Ａを有するカーボン板８４−１が形成される（図中Ｆ）。なお、遮光板５２にレンズ１０１が設けられる場合には、カーボン１５３の間にレンズ１０１が埋め込まれる。次に、カーボン板８４−１が設置されたガラス基板８４−２の上下が反転される（図中Ｇ）。
【００６６】
そして、図１４に示すように、スクリーン印刷により、ガラス基板８４−２にペーストが塗布される（図中Ｈ）。次に、レジスト１５５が塗布され、隔壁８４Ｂ（９１Ｂ）に対応する領域に孔１５６Ａが設けられたフォトマスク１５６が、レジスト１５５上に設置される（図中Ｉ）。そして、フォトマスク１５６の上から光が照射される（図中Ｊ）。即ち、露光が行われる。その結果、レジスト１５５上の、露光が行われた領域、即ち孔１５６Ａに対応する領域１５５Ａが取り除かれる（図中Ｋ）。
【００６７】
次に、サンドブラスト処理が行われる（図中Ｌ）。その結果、ペースト１５４の、レジスト１５５が取り除かれた領域１５５Ａに対応する領域１５４Ａが取り除かれる（図中Ｍ）。そして、レジスト剥離液を用いて、レジスト１５５が剥離される（図中Ｎ）。その結果、隔壁８４Ｂを有する隔壁板８４−３がガラス基板８４−２上に形成され、カーボン板８４−１、ガラス基板８４−２、および隔壁板８４−３からなる遮光板５２が製造される。
【００６８】
図１５は、遮光板５２の製造工程を説明するフローチャートである。
【００６９】
図１５のステップＳ３１において、ガラス基板８４−２にレジスト１５１が塗布される。ステップＳ３２において、孔８４Ａ（９１Ａ）やレンズ１０１に対応する領域以外の領域に孔１５２Ａが設けられたフォトマスク１５２が、レジスト１５１上に設置される。ステップＳ３３において、露光が行われる。
【００７０】
ステップＳ３４において、カーボン１５３が蒸着される。ステップＳ３５において、レジスト剥離液を用いて、レジスト１５１が剥離される。ステップＳ３６において、カーボン板８４−１が設置されたガラス基板８４−２の上下が反転される。
【００７１】
ステップＳ３７において、スクリーン印刷により、ガラス基板８４−２にペーストが塗布される。ステップＳ３８において、レジスト１５５が塗布される。ステップＳ３９において、隔壁８４Ｂ（９１Ｂ）に対応する領域に孔１５６Ａが設けられたフォトマスク１５６が、レジスト１５５上に設置される。ステップＳ４０において、露光が行われる。
【００７２】
ステップＳ４１において、サンドブラスト処理が行われる。ステップＳ４２において、レジスト剥離液を用いて、レジスト１５５が剥離される。そして処理は終了する。
【００７３】
[光源の他の配置例]
なお、上述した説明では、光源８３−１および光源８３−３が、y方向に並ぶように配置され、光源８３−２および光源８３−４が、x方向に並ぶように配置されたが、光源８３−１乃至８３−４の配置は、ある光源８３に対して、他の光源８３がそれぞれ異なる方向に配置されれば、どのような配置であってもよい。
【００７４】
図１６は、光源８３−１乃至８３−４の他の配置例を示す図である。
【００７５】
図１６では、光源８３−１および光源８３−３、並びに、光源８３−２および光源８３−４が、それぞれ、ｙ方向に並ぶように配置され、光源８３−１および光源８３−２、並びに、光源８３−３および８３−４が、それぞれ、ｘ方向に並ぶように配置される。
【００７６】
なお、本実施の形態では、ユーザが、四角形状の台５１Ａの各辺の位置でテーブルトップコンピュータ５０を利用することができるものとしたが、テーブルトップコンピュータ５０を利用可能な位置は、所定の位置と、その位置に対して異なる２以上の方向にある位置を含む複数の位置に設定されれば、どのような位置であってもよい。
【００７７】
また、本発明は、LCDパネルだけでなく、プラズマディスプレイ、有機EL（Electro-Luminescence）ディスプレイ、LED（Light Emitting Diode）ディスプレイなどに適用することができる。
【００７８】
本明細書において、フローチャートのステップは、記載された順序に沿って時系列的に行われる処理はもちろん、必ずしも時系列的に処理されなくとも、並列的あるいは個別に実行される処理をも含むものである。
【００７９】
また、本発明の実施の形態は、上述した実施の形態に限定されるものではなく、本発明の要旨を逸脱しない範囲において種々の変更が可能である。
【符号の説明】
【００８０】
５１Ｂ  表示パネル，  ５３  LCDパネル，  ８２−１乃至８２−４  表示制御部，  ８３−１乃至８３−４  光源，  ８４  遮光板
【図１】
2012018255.tif 000004
【図２】
2012018255.tif 000005
【図３】
2012018255.tif 000006
【図４】
2012018255.tif 000007
【図５】
2012018255.tif 000008
【図６】
2012018255.tif 000009
【図７】
2012018255.tif 000010
【図８】
2012018255.tif 000011
【図９】
2012018255.tif 000012
【図１０】
2012018255.tif 000013
【図１１】
2012018255.tif 000014
【図１２】
2012018255.tif 000015
【図１３】
2012018255.tif 000016
【図１４】
2012018255.tif 000017
【図１５】
2012018255.tif 000018
【図１６】
2012018255.tif 000019